(57)【要約】【課題】ナノファイバを堆積させて得られる不織布であって、厚みが均一な不織布を製造する。【解決手段】電圧が印加され、ナノファイバ２００製造用の原料液を噴射する噴射孔１１２を有する噴射手段１１０と、前記噴射手段１１０と異なる電圧が印加され、ナノファイバ２００を収集する収集電極１２０とを備える不織布製造装置であって、前記噴射手段１１０と同一、または、前記収集電極１２０よりも前記噴射手段１１０に近い電圧が印加される、前記噴射手段１１０とは別体の補助電極１８０を備える。【選択図】図１
2008266820.tif 000002
【特許請求の範囲】
【請求項１】
ナノファイバ製造用の原料液を噴射する噴射孔を有する噴射手段と、前記噴射孔から噴射され生成されたナノファイバを収集する収集電極と、前記噴射手段と前記収集電極との間に第一の電圧を印加する第一電源とを備えるナノファイバ製造装置であって、
前記噴射手段とは別体の補助電極と、
前記補助電極と前記収集電極との間に第二の電圧を印加する第二電源と
を備えるナノファイバ製造装置。
【請求項２】
前記補助電極は、前記噴射手段と前記収集電極との間に配置される
請求項１に記載のナノファイバ製造装置。
【請求項３】
前記補助電極は、前記噴射手段から前記収集電極を望む範囲外に配置される
請求項１に記載のナノファイバ製造装置。
【請求項４】
前記補助電極の先端と前記収集電極との距離は、前記噴射手段と前記収集電極との距離の半分以下である
請求項１に記載のナノファイバ製造装置。
【請求項５】
前記補助電極は、前記噴射手段、及び、前記収集電極から独立して、印加される電圧が制御可能である
請求項１に記載のナノファイバ製造装置。
【請求項６】
さらに、
前記収集電極の前記噴射孔側に配置され、製造されたナノファイバを堆積状に保持する被堆積手段と、
前記被堆積手段を所定方向に移動させる移動手段とを備え、
前記補助電極は、前記堆積手段の移動方向に対して前記噴射手段よりも前方、及び、後方に配置される
請求項１に記載のナノファイバ製造装置。
【請求項７】
前記補助電極は、板状であり、前記噴射手段に対し前記収集電極と反対側に配置される
請求項１に記載のナノファイバ製造装置。
【請求項８】
ナノファイバ製造用の原料液を噴射する噴射手段と製造されるナノファイバを収集する収集電極との間に第一の電界を発生させる第一電界発生ステップと、前記電界中に前記原料液を噴射する噴射ステップとを含むナノファイバ製造方法において、
前記収集電極とは別体の補助電極と前記収集電極との間に第二の電界を発生させる第二電界発生ステップとを含むナノファイバ製造方法。
【発明の詳細な説明】
【技術分野】
【０００１】
本発明は、高分子物質からなるナノファイバの製造装置、及び、製造方法に関する。
【背景技術】
【０００２】
高分子物質から成り、サブミクロンスケールの直径を有する糸状物質（以下、「ナノファイバ」と記す。）を製造する方法として、エレクトロスピニング（電荷誘導紡糸）法が知られている。
【０００３】
このエレクトロスピニング法とは、コレクタ（収集電極）に対し高電圧を印加した針状のノズルから溶媒中に高分子物質を分散させた高分子溶液をコレクタに向かって噴射（流出）させることにより、ナノファイバを得る方法である。より具体的には、噴射ノズルを高電圧にすることにより帯電した高分子溶液が空間中に噴射され、溶媒が蒸発するに伴い空間中を飛翔中の高分子溶液の電荷密度が上昇する。そして、高分子溶液中に発生する反発方向のクーロン力が高分子溶液の表面張力より勝った時点で高分子溶液が爆発的に線状に延伸される現象（静電爆発）が生じる。この静電爆発が、空間において次々と発生することで、サブミクロンの直径の高分子から成るナノファイバが製造される。
【０００４】
また、前述の方法で製造されたナノファイバを基板上に堆積させることで、立体的な網目を持つ３次元構造の薄膜を得ることができ、さらに厚く形成することでサブミクロンの網目を持つ高多孔性ウェブ（不織布）を製造することができる。
【０００５】
このようにエレクトロスピニング法を採用して製造されたウェブは、ナノオーダーの孔からなる高多孔性であり、ウェブ全体としての表面積が広いため、フィルタや電池のセパレータや燃料電池の高分子電解質膜や電極等に適用され、高い効果を得ることが期待されている。
【０００６】
従来、ナノファイバを多量に製造してナノファイバからなる実用的なウェブを製造する方法として、複数のノズルを並列に配置し、多量のナノファイバを堆積させてウェブを製造する装置が提案されている（例えば、特許文献１参照）。
【特許文献１】特開２００２−２０１５５９号公報
【発明の開示】
【発明が解決しようとする課題】
【０００７】
従来、実験や研究により下記の知見が得られている。
すなわち、コレクタ上に堆積されるナノファイバの堆積方向の均一性や堆積量の空間的均一性等を高める為には高分子溶液を噴射するためのノズルと製造されたナノファイバを収集するコレクタとの距離を出来る限り短くする方が望ましい。また、ノズルとコレクタとの間の電圧が高ければ高いほど、１次爆発ばかりでなく２次爆発以降の高次の静電爆発が発生する回数が増加し、製造されるナノファイバの径が微細になる。
【０００８】
一方、ノズルとコレクタとの距離を長くするほど、溶媒の蒸発量が増加し、高次の静電爆発が発生する回数が増加する。また、ノズルとコレクタとの間の電圧が低いほど、また、ノズルとコレクタとの距離を長くするほどノズルとコレクタとの間で発生する異常放電を抑制することができる。
【０００９】
ナノファイバにより不織布を製造する場合、上記相反する観点に鑑み、妥協点としてノズルとコレクタとの距離、及び、電圧が決定されている。特に、前記異常放電が極力発生しないように前記条件が決定される。これは引火性のある溶媒を使用した場合は顕著であり、ノズルとコレクタとの距離を長くし、電圧を低くして、異常放電に基づく引火を抑制している。その結果として、ナノファイバの堆積方向の均一性や堆積量の空間的均一性を良好に確保することが困難となっている。
【００１０】
本発明は、上記課題に鑑みなされたものであり、ナノファイバからなる不織布を製造するに当たり、ノズルを含む噴射手段とコレクタを含む収集電極との距離が比較的長い場合や、ノズルとコレクタとの間の電圧が比較的低い場合でも、ナノファイバの堆積方向の均一性や堆積量の空間的均一性を確保することができる不織布製造装置の提供を目的とする。
【課題を解決するための手段】
【００１１】
上記目的を達成するために本願発明にかかるナノファイバ製造装置は、ナノファイバ製造用の原料液を噴射する噴射孔を有する噴射手段と、前記噴射孔から噴射され生成されたナノファイバを収集する収集電極と、前記噴射手段と前記収集電極との間に第一の電圧を印加する第一電源とを備えるナノファイバ製造装置であって、前記噴射手段とは別体の補助電極と、前記補助電極と前記収集電極との間に第二の電圧を印加する第二電源とを備えることを特徴とする。
【００１２】
これにより、噴射手段と収集電極との間に印加される第一の電圧とは別の第二の電圧を備えることができ、製造されるナノファイバの挙動（例えば飛翔方向など）を第二の電圧を用いて容易に制御することが可能となる。引いては、ナノファイバの堆積方向の均一性や堆積量の空間的均一性を容易に確保することが可能となる。
【００１３】
また、前記補助電極は、前記噴射手段と前記収集電極との間に配置されることが望ましい。
【００１４】
このような配置にすれば、電場（電気力線）を制御しやすくなり、電気力線に沿って飛翔すると考えられるナノファイバの堆積位置などを容易に制御することができる。
【００１５】
また、前記補助電極は、前記噴射手段から前記収集電極を望む範囲外に配置されることが望ましい。
【００１６】
これにより、補助電極の存在がナノファイバの堆積方向の均一性や堆積量の空間的均一性の確保の障害になることを回避することが可能となる。
【００１７】
また、前記補助電極は、前記噴射手段、及び、前記収集電極から独立して、印加される電圧が制御可能であることが望ましい。
【００１８】
これにより、補助電極の空間的配置ばかりでなく電圧により電場（電気力線）を制御することができ、より柔軟にナノファイバの飛翔をコントロールすることが可能となる。
【００１９】
また、前記収集電極の前記噴射孔側に配置され、製造されたナノファイバを堆積状に保持する被堆積手段と、前記被堆積手段を所定方向に移動させる移動手段とを備え、前記補助電極は、前記堆積手段の移動方向に対して前記噴射手段よりも前方、及び、後方に配置されることが好ましい。
【００２０】
これにより、長尺の不織布を製造する場合でも、ナノファイバの堆積方向の均一性や堆積量の空間的均一性を確保することができる。
【００２１】
また、前記補助電極は、板状であり、前記噴射手段に対し前記収集電極と反対側に配置されてもよい。
【００２２】
これにより、収集電極から遠ざかる方向に飛翔するナノファイバを反射して収集電極方向に飛翔方向を転換することができるため、ナノファイバの堆積効率を向上させることが可能となる。特に、遠心力により原料液を噴射させるタイプの噴射手段を使用する場合には効果的である。
【００２３】
また、上記目的を達成するために本願発明にかかるナノファイバ製造方法は、ナノファイバ製造用の原料液を噴射する噴射手段と製造されるナノファイバを収集する収集電極との間に第一の電界を発生させる第一電界発生ステップと、前記電界中に前記原料液を噴射する噴射ステップとを含むナノファイバ製造方法において、前記収集電極とは別体の補助電極と前記収集電極との間に第二の電界を発生させる第二電界発生ステップとを含むことを特徴とする。
【００２４】
これによる作用効果は上記と同様である。
【発明の効果】
【００２５】
本発明によれば、噴射手段と収集電極との距離が比較的長い場合や、ノズルとコレクタとの間の電圧が比較的低い場合でも、ナノファイバの堆積方向の均一性や堆積量の空間的均一性を確保することができ、均質な不織布を製造することが可能となる。
【発明を実施するための最良の形態】
【００２６】
次に、本発明にかかるナノファイバ製造装置を備える不織布製造装置の実施の形態を説明する。
【００２７】
図１は、本発明にかかる不織布製造装置を概略的に示す斜視図である。
同図に示すように不織布製造装置１００は、噴射手段１１０と、収集電極１２０と、補助電極１８０と、被堆積手段としてのシート１６０とを備えている。なお、噴射される原料液と、製造されつつあるナノファイバとは明確に区別できないため、いずれにも２００の符号を付し、製造された不織布には２１０を付している。
【００２８】
噴射手段１１０は、ナノファイバを製造するための原料液を噴射（流出）する噴射孔を備えた装置であり、第一電源としての電源１５０ａに接続されて所定の電位に維持されるものとなっている。また、原料液を貯蔵するタンク（図示せず）と接続されるパイプ１１１が噴射手段１１０に接続されており、所定の圧力で原料液が供給されるようになっている。
【００２９】
収集電極１２０は、噴射手段１１０に対し所定の電圧が印加されるように第一電源としての電源１５０ｂに接続され、製造されたナノファイバを収集するための装置である。
【００３０】
なお、電源１５０ａと電源１５０ｂとはともに噴射手段１１０と収集電極１２０との間に電圧を発生させるためのものであり、一つの電源であっても構わない。
【００３１】
シート１６０は、空間中で製造されたナノファイバ２００が堆積する対象となる部材であり、堆積したナノファイバ２００と容易に分離可能な材質で構成された薄く柔軟性のある長尺のシートである。シート１６０は、ロール状に巻き付けられた状態で供給され、ナノファイバ２００が堆積する部分をゆっくりと移動手段１７０により図中矢印方向に移動するものとなっている。そして、シート１６０上で製造された不織布２１０とともに再びロール状に巻き付けられるようになっている。
【００３２】
移動手段１７０は、シート１６０を所定の張力を維持しつつ一方方向に送ることができる装置であり、モータ（図示せず）などの駆動により図に示されるローラーを回転させてシート１６０を移動させるものである。
【００３３】
補助電極１８０は、噴射手段１１０と同一、または、収集電極１２０よりも噴射手段１１０に近い電圧が第二電源としての電源１５０ｃにより印加される電極であり、噴射手段１１０とは別体となされ、取り付け位置を任意に設定することができるものとなっている。
【００３４】
なお、噴射手段１１０と、補助電極１８０と、収集電極１２０とは種々の態様があり、また、それらの組み合わせ態様も種々存在する。図１においては、噴射手段１１０、補助電極１８０、及び、収集電極１２０については一点鎖線で象徴的に示しており、これらの具体的態様については後述の実施の形態において具体的に説明する。
【００３５】
なお、電源１５０ｃは、補助電極１８０と収集電極１２０との間に第二の電圧を発生させるものであり、前記電源１５０ａ、１５０ｂとは独立して電圧を調整できるものが好ましい。
【００３６】
（実施の形態１）
図２は、噴射手段と補助電極および収集電極の具体例を示す図である。
【００３７】
なお、同図は、噴射手段１１０と補助電極１８０と、収集電極１２０との関係を示すため、噴射手段１１０と補助電極１８０とを大きく示しているが、実際は、収集電極１２０の径が数メートルの大きさであるのに対し、ノズル１１３や補助電極１８０の先端の径は数ミリ程度である。
【００３８】
同図に示す収集電極１２０は、円筒形状となされており、シート１６０の移動に伴い、または同期して回転しうるものとなされている。また、収集電極１２０は、収集電極１２０の端面に向かって徐々に縮径するように、円筒形状のエッジ部分にアール面取りが施されている。
【００３９】
このように、噴射手段１１０から望む収集電極１２０の周縁部を噴射手段１１０から遠ざかるような曲面とすることで、収集電極１２０のエッジによる電場の乱れを抑止し、ナノファイバ２００の堆積状態を良好とすることができる。
【００４０】
噴射手段１１０は、原料液を噴射する噴射孔（図示せず）を先端に備えたノズル１１３を複数個備えている。ノズル１１３は、シート１６０の移動方向と垂直な方向（図中Ｘ方向、シート１６０の幅方向）に等間隔に広がって配置されている。ノズル１１３は、Ｙ方向に対し斜め直線上に配置されている。従って、隣接するノズル１１３同士は、Ｙ方向にずれて配置されている状態となる。また、ノズル１１３は、収集電極１２０の回転軸に向かって原料液２００を噴射できるように前記回転軸を中心とする放射方向に配置されている。Ｘ方向の最端部にあるノズル１１３と他の最端部にあるノズル１１３と（シート１６０の幅方向両端部にあるノズル１１３）は、Ｘ方向の距離がシート１６０の幅よりも狭く設定され、また、曲面部の曲率中心に向かうように傾いている。
【００４１】
以上のようにノズル１１３を配置することにより、収集電極１２０とノズル１１３とを所定の距離に維持したまま、ノズル１１３相互の距離を長くすることができるとともに、隣接するノズル１１３から製造されるナノファイバ２００のシート１６０上の堆積位置を任意に重ね合わせることができる。
【００４２】
従って、ノズル１１３同士が影響し合うことによる電気力線の乱れを抑止し、シート１６０の幅方向におけるナノファイバ２００の堆積量の位置的な偏りを防止して、シート１６０の幅方向において厚さの均一な不織布を製造することが可能となる。
【００４３】
補助電極１８０は、細い円柱形状となされ、下部の先端は円錐状に尖っている。一方上部の基端には電圧印加用の導線１８１が取り付けられており、電源１５０ｃにより全ての補助電極に対し同一の電圧が印加されるものとなっている。なお、補助電極１８０の先端は球状など曲面を備えていても良く、その他の形状を任意に選択できる。
【００４４】
補助電極１８０は、シート１６０の移動方向と交差し、シート１６０の面と平行となるように複数本配列されて補助電極列を構成し、さらに、当該補助電極列は、ノズル１１３の列と平行に、また、ノズル１１３に対してシート１６０の移動方向の前後に配置されている。また、前記補助電極列は、シート１６０に対し収集電極１２０と反対側であって噴射手段１１０とシート１６０との間に配置されている。噴射手段１１０の前後に配置される補助電極は、先端が相互に近づくようにシート１６０の移動方向に沿って傾いている。
【００４５】
図３は、図２中Ａ−Ａ線で切断した状態を示す断面図である。なお、同図にはシート１６０は記載していない。また、収集電極１２０やノズル１１３に付すハッチングは省略している。
【００４６】
同図に示すように、補助電極１８０はノズル１１３の先端から収集電極１２０を望む領域（同図ハッチング部）の外に配置されている。また、補助電極１８０の先端は、ノズル１１３から収集電極１２０までの最も近い距離の半分の位置よりも収集電極１２０側に配置されている。
【００４７】
このように配置することで、ノズル１１３と収集電極１２０との電気的関わり合いが薄くなる部分、つまり、電気力線が疎になる部分に、補助電極１８０からの電気力線が加わり、電気力線が密となる。従って、電気力線が密の部分に集まる傾向にあるナノファイバ２００の性質を利用して、電気力線が疎であるために製造されたナノファイバ２００が収集電極１２０の上方に堆積せずに空中に散らばることを防止し、ナノファイバ２００の収集電極１２０上方への集積効率を高めることが可能となる。
【００４８】
（実施の形態２）
図４は、噴射手段、補助電極および収集電極の他の実施の形態を示す図である。
【００４９】
なお、同図は、噴射手段１１０と、補助電極１８０と、収集電極１２０との関係を示すため、噴射手段１１０を大きく示しているが、実際は、収集電極１２０が数メートルの大きさであるのに対し、ロータリーシリンダ１１４の径は数センチから数十センチである。
【００５０】
同図に示す収集電極１２０は、平板形状であり、平板の全周に渡って周縁部が噴射孔１１２から遠ざかるような滑らかな曲面を備える形状となっている。
【００５１】
収集電極１２０は、不織布製造装置１００に対して固定状に配置されており、移動するシート１６０とは摺擦状態となる。
【００５２】
このような収集電極１２０とすれば、収集電極１２０を回転させる必要が無いため、収集電極１２０の電位を容易に安定させることができ、また、容易に小型化が可能になる。
【００５３】
噴射手段１１０は、多数の噴射孔１１２を備えるノズル１１３が周壁に多数個備えられた円筒形のロータリーシリンダを備えている。
【００５４】
ここで、本実施の形態にかかる噴射手段１１０について詳細に説明する。
図５（ａ）は、噴射手段の斜視図、図５（ｂ）は、断面図である。
【００５５】
同図に示すように、噴射手段１１０は、遠心力により原料液を噴射（流出）する装置であり、ロータリーシリンダ１１４と、原料液２００を貯蔵するタンク１１５と、タンク１１５とロータリーシリンダ１１４とを接続するパイプ１１１と、パイプ１１１と兼用される回転軸となるシャフト３０１と、回転体支持体３１２と、ベアリング３１０と、ギア３０７、３０８と、回転手段３０６とを備えている。
【００５６】
ロータリーシリンダ１１４は、回転体支持体３１２に対しシャフト３１１とベアリング３１０とを介して回転可能に軸支されている。また、ブラシ３１５を介し電源１５０により所定の電位に維持される。ロータリーシリンダ１１４は、回転体支持体３１２に取り付けられている回転手段３０６とギア３０７、３０８を介して接続されており、回転手段３０６から付与される駆動力により回転するものとなっている。
【００５７】
また、シャフト３０１の一方には原料液２００流通用のパイプが接続され、タンク１１５から供給される原料液２００をポンプ１１７で圧送され、シャフト３０１の周壁に穿設される孔を通ってロータリーシリンダ１１４内部に原料液２００が供給されるものとなっている。このように、シャフト３０１の周壁に設けられる孔を介して原料液がロータリーシリンダ１１４に供給されることで、原料液２００が軸方向に均等に供給され、均等な量で原料液２００を噴射することができるようになっている。
【００５８】
以上のような噴射手段１１０を採用すれば、比較的大量のナノファイバ２００を一度に製造することができ、効率よく不織布２１０を製造することが可能となる。
【００５９】
また、ロータリーシリンダ１１４に対し、収集電極１２０と反対側には、補助電極１８０としての反射板１４０が設けられている。
【００６０】
反射板１４０は、電源１５０ｃに接続され、噴射手段１１０と同一、または、収集電極１２０よりも噴射手段１１０に近い電圧が印加されている。また、噴射手段１１０とは別体となされ、噴射手段１１０との相対的位置関係を任意に変更できるものとなっている。反射板１４０は、ロータリーシリンダ１１４の回転により放射状に噴射される原料液２００、又は、製造されるナノファイバ２００の内、特に収集電極１２０に向かって噴射されない原料液２００等を電圧によって押し出し、収集電極１２０に向かわせる金属または合金製の板状体である。
【００６１】
図６は、ロータリーシリンダと反射板との関係を示す断面図である。
同図に示すように、反射板１４０は、放物線が二つ重なったような形状となされ、ロータリーシリンダ１１４を囲むように別体として設けられ、ロータリーシリンダ１１４に電圧を印加する電源１５０ａとは別の電源１５０ｃによりロータリーシリンダ１１４と同極の電圧が印加されている。
【００６２】
以上により、ロータリーシリンダ１１４から遠心力などにより噴射された原料液２００や製造されるナノファイバ２００のうち、収集電極１２０から遠ざかろうとする原料液２００等は反射板１４０に反射し、又は、反射板１４０と収集電極１２０とにより形成される電場により押し出される。従って、反射板１４０は、反射板１４０の位置とは逆方向、すなわち収集電極１２０の方向にほぼ全てのナノファイバ２００を向かわせることができる。
【００６３】
以上のようにすれば、多量かつ均等にナノファイバ２００をシート１６０の上に堆積させることができ、シート１６０の幅方向に均一な不織布２１０を高い効率で製造することが可能となる。
【００６４】
（実施の形態３）
図７は、噴射手段、補助電極、反射板、および収集電極の他の実施の形態を示す図である。
【００６５】
なお、同図は、噴射手段１１０と、補助電極１８０と、反射板１４０と、収集電極１２０との関係を示すため、噴射手段１１０を大きく示しているが、実際は、収集電極１２０の径が数メートルの大きさであるのに対し、縦型シリンダ１１６の径は数センチである。また、本実施の形態では、補助電極１８０と反射板１４０とを明確に区別するために異なる名称で記載しているが、反射板１４０は、補助電極１８０の一つである。
【００６６】
同図に示す収集電極１２０は、球面の一部であり、不織布製造装置１００に対して固定状に配置されている。従って、移動するシート１６０とは摺擦状態となる。
【００６７】
このような収集電極１２０とすれば、収集電極１２０を回転させる必要が無いため、収集電極１２０の電位を容易に安定させることができ、また、容易に小型化が可能になる。
【００６８】
噴射手段１１０は、多数の噴射孔１１２を備えるノズル１１３が周壁に多数個備えられた円筒形の縦型シリンダ１１６を備えている。当該縦型シリンダ１１６は、遠心力によりノズルから原料液２００がシート１６０に対し略平行に噴射する。
【００６９】
反射板１４０は、縦型シリンダ１１６に対し、収集電極１２０と反対側に配置されるドーナツ型板状の電極である。反射板１４０は、縦型シリンダ１１６と同極性となるように、電源１５０ｄにより電圧が印加され、縦型シリンダ１１６や収集電極１２０や補助電極１８０とは独立して電圧が制御されている。また、反射板１４０は、縦型シリンダ１１６とともに回転することなく固定状態で維持される。
【００７０】
補助電極１８０は、収集電極１２０近傍に円周上に配置されている。補助電極１８０の先端は尖っており、また、補助電極１８０の先端は相互に近づく方向に傾いて配置されている。また、補助電極１８０は、電源１５０ｃにより電圧が印加され、縦型シリンダ１１６や収集電極１２０や反射板１４０とは独立して電圧が制御されている。
【００７１】
以上の構成にすると、縦型シリンダ１１６や、反射板１４０、補助電極１８０、収集電極１２０の空間的位置関係がＸＹ平面上等価となり、電気力線の偏在などを容易に回避することができる。従って、ノズルから略水平に噴射された原料液２００は、収集電極１２０に向かって均等に飛翔し、ナノファイバ２００のシート１６０上における堆積状態の空間的均一性を確保して、均一な不織布２１０を製造することが可能となる。
【００７２】
なお、収集電極１２０の形状は上記に限定されるわけではなく、楕円球など任意の曲面を有する収集電極１２０であってよい。また、平面からなる収集電極１２０でも構わない。
【００７３】
また、噴射手段１１０は、図８に示すように、ノズルを千鳥状（またはマトリクス状）に配置した形状を採用しても構わない。
【００７４】
なお、各実施の形態では、噴射手段１１０に電圧を印加し、収集電極１２０に、前記ノズルに印加した電圧とは逆極性の電圧を印加する例を示したが、これに限定するものではなく、前記ノズルから噴射された原料液に電荷が帯電されるように、前記噴射手段１１０と前記収集電極間に電圧差が発生させて、噴射手段１１０のノズルの噴射孔から噴射される原料液が帯電すればよい。例えば、前記噴射手段１１０の噴射孔が接地されていて、前記収集電極に電圧が印加されている場合でも、ナノファイバは生成され、各実施の形態は適用することができる。
【００７５】
また、補助電極１８０についても、各実施の形態では、前記補助電極１８０に電圧を印加する例を示したが、これに限定するものでなく、前記補助電極と前記収集電極間に電圧差を発生させ、前記噴射孔から噴射した原料液の爆発により生成された帯電したナノファイバの前記収集電極への収集が加速されればよい。例えば、前記噴射手段１１０の噴射孔が接地されていて、前記収集電極に電圧が印加されている場合で、前記補助電極が接地されている場合において、前記補助電極と前記収集電極間は、電圧差が発生し、その間に電気力線が発生し、生成された電荷を有するナノファイバが前記収集電極に、収集させるのを促進することができる。
【産業上の利用可能性】
【００７６】
本発明は、微小多孔性を利用したフィルタや表面積の広さを利用した触媒の担持体などに適用できる不織布の製造装置などに利用できる。
【図面の簡単な説明】
【００７７】
【図１】本発明にかかる不織布製造装置を概略的に示す斜視図である。
【図２】噴射手段と補助電極および収集電極の具体例を示す図である。
【図３】図２中Ａ−Ａ線で切断した状態を示す断面図である。
【図４】噴射手段、補助電極および収集電極の他の実施の形態を示す図である。
【図５】（ａ）は、噴射手段の斜視図、（ｂ）は、断面図である。
【図６】ロータリーシリンダと反射板との関係を示す断面図である。
【図７】噴射手段、補助電極、反射板、および収集電極の他の実施の形態を示す図である。
【図８】他の噴射手段を示す斜視図である。
【符号の説明】
【００７８】
１００  不織布製造装置
１１０  噴射手段
１１１  パイプ
１１２  噴射孔
１１３  ノズル
１１４  ロータリーシリンダ
１１５  タンク
１１６  縦型シリンダ
１１７  ポンプ
１２０  収集電極
１４０  反射板
１５０  電源
１５０ａ  電源
１５０ｂ  電源
１５０ｃ  電源
１５０ｄ  電源
１６０  シート
１７０  移動手段
１８０  補助電極
２００  ナノファイバ
２００  原料液
２１０  不織布
３０１  シャフト
３０６  回転手段
３０７  ギア
３１０  ベアリング
３１１  シャフト
３１２  回転体支持体
３１５  ブラシ
【図１】
2008266820.tif 000003
【図２】
2008266820.tif 000004
【図３】
2008266820.tif 000005
【図４】
2008266820.tif 000006
【図５】
2008266820.tif 000007
【図６】
2008266820.tif 000008
【図７】
2008266820.tif 000009
【図８】
2008266820.tif 000010